【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
互いに無線通信可能な複数の携帯型の情報処理装置を含む情報処理システムに用いられる情報処理装置であって、
自機を識別させるための自機識別情報と自機で起動している所定のプログラムを識別させるためのプログラム識別情報とを、他の情報処理装置と接続を確立する前に当該他の情報処理装置に送信する送信手段、
通信可能範囲に存在する他の情報処理装置から送信された情報を、当該他の情報処理装置と接続を確立する前に受信する受信手段、
前記受信手段で受信した情報に基づいて、通信可能範囲に存在する他の情報処理装置を識別させるための情報と、当該他の情報処理装置で起動している所定のプログラムを識別させるための情報とを含む表示をおこなう表示制御手段、
前記表示制御手段によって表示される情報処理装置のうちいずれか１つをユーザに選択させるための選択手段、および
前記選択手段によって選択された情報処理装置と接続を確立するための接続処理を行う接続手段を備える、情報処理装置。
【請求項２】
互いに無線通信可能な複数の携帯型の情報処理装置を含む情報処理システムに用いられる情報処理装置のコンピュータを、
自機を識別させるための自機識別情報と自機で起動している所定のプログラムを識別させるためのプログラム識別情報とを、他の情報処理装置と接続を確立する前に当該他の情報処理装置に送信する送信手段、
通信可能範囲に存在する他の情報処理装置から送信された情報を、当該他の情報処理装置と接続を確立する前に受信する受信手段、
前記受信手段で受信した情報に基づいて、通信可能範囲に存在する他の情報処理装置を識別させるための情報と、当該他の情報処理装置で起動している所定のプログラムを識別させるための情報とを含む表示をおこなう表示制御手段、
前記表示制御手段によって表示される情報処理装置のうちいずれか１つをユーザに選択させるための選択手段、および
前記選択手段によって選択された情報処理装置と接続を確立するための接続処理を行う接続手段として機能させる、情報処理プログラム。
【請求項３】
互いに無線通信可能な複数の携帯型の情報処理装置を含む情報処理システムであって、前記情報処理システムは第１情報処理装置と第２情報処理装置とを含み、
前記第１情報処理装置は、
自機を識別させるための自機識別情報と自機で起動している所定のプログラムを識別させるためのプログラム識別情報とを、他の情報処理装置と接続を確立する前に当該他の情報処理装置に送信する送信手段を有し、
前記第２情報処理装置は、
通信可能範囲に存在する他の情報処理装置から送信された情報を、当該他の情報処理装置と接続を確立する前に受信する受信手段と、
前記受信手段で受信した情報に基づいて、通信可能範囲に存在する他の情報処理装置を識別させるための情報と、当該他の情報処理装置で起動している所定のプログラムを識別させるための情報とを含む表示をおこなう表示制御手段と、
前記表示制御手段によって表示される情報処理装置のうちいずれか１つをユーザに選択させるための選択手段と、
前記選択手段によって選択された情報処理装置と接続を確立するための接続処理を行う接続手段とを有する、システム。
【請求項４】
互いに無線通信可能な複数の携帯型の情報処理装置を含む情報処理システムにおいて行われる情報処理方法であって、前記情報処理システムは第１情報処理装置と第２情報処理装置とを含み、
前記第１情報処理装置において、
自機を識別させるための自機識別情報と自機で起動している所定のプログラムを識別させるためのプログラム識別情報とを、他の情報処理装置と接続を確立する前に当該他の情報処理装置に送信するステップを実行し、
前記第２情報処理装置において、
通信可能範囲に存在する他の情報処理装置から送信された情報を、当該他の情報処理装置と接続を確立する前に受信する受信ステップと、
前記受信ステップで受信した情報に基づいて、通信可能範囲に存在する他の情報処理装置を識別させるための情報と、当該他の情報処理装置で起動している所定のプログラムを識別させるための情報とを含む表示をおこなう表示ステップと、
前記表示ステップにおいて表示される情報処理装置のうちいずれか１つをユーザに選択させるための選択ステップと、
前記選択ステップにおいて選択された情報処理装置と接続を確立するための接続処理を行う接続ステップとを実行する、情報処理方法。
【請求項５】
通信手段を用いて互いに無線通信することが可能な複数の携帯型の情報処理装置を含む情報処理システムであって、
前記情報処理システムのうちの複数の第１情報処理装置は、
自機を識別させるための自機識別情報と自機で実行するプログラムを識別させるためのプログラム識別情報とを、前記通信手段を用いて、通信可能範囲にある接続を確立する前の他の情報処理装置に送信し、
前記情報処理システムのうちの第２情報処理装置は、
通信可能範囲にある前記複数の第１情報処理装置から前記自機識別情報および前記プログラム識別情報を、当該情報処理装置と接続を確立する前に受信する受信手段と、
前記受信手段によって受信された情報と、自機で実行するプログラムを識別させるためのプログラム識別情報とに基づいて、前記受信手段によって受信された情報を送信した複数の前記第１情報処理装置の中から少なくとも何れか１の情報処理装置を抽出する抽出手段と、
前記抽出手段によって抽出された第１情報処理装置のそれぞれを識別するための表示を行う表示制御手段と、
ユーザからの入力に基づいて前記表示制御手段によって表示された第１情報処理装置のうちの何れかを選択する選択手段と、
前記選択手段により選択された第１情報処理装置と接続を確立するための接続処理を行う接続手段と、を含む、情報処理システム。
【請求項６】
前記抽出手段は、前記第２情報処理装置で実行するプログラムと所定の関係にあるプログラムを実行する第１情報処理装置を抽出する、請求項５に記載の情報処理システム。
【請求項７】
通信手段を用いて他の情報処理装置と無線通信することが可能な携帯型の情報処理装置であって、
自機を識別させるための自機識別情報と自機で実行するプログラムを識別させるためのプログラム識別情報とを、前記通信手段を用いて、通信可能範囲にある接続を確立する前の他の情報処理装置に送信する送信手段と、
通信可能範囲にある他の情報処理装置から前記自機識別情報および前記プログラム識別情報を、当該情報処理装置と接続を確立する前に受信する受信手段と、
前記受信手段によって受信された情報と、自機で実行するプログラムを識別させるためのプログラム識別情報とに基づいて、前記受信手段によって受信された情報を送信した複数の情報処理装置の中から少なくとも何れか１の情報処理装置を抽出する抽出手段と、
前記抽出手段によって抽出された情報処理装置のそれぞれを識別するための表示を行う表示制御手段と、
ユーザからの入力に基づいて前記表示制御手段によって表示された情報処理装置のうちの何れかを選択する選択手段と、
前記選択手段により選択された情報処理装置と接続を確立するための接続処理を行う接続手段と、を備える、情報処理装置。
【請求項８】
通信手段を用いて他の情報処理装置と無線通信することが可能な携帯型の情報処理装置のコンピュータにおいて実行される情報処理プログラムであって、前記コンピュータを、
自機を識別させるための自機識別情報と自機で実行するプログラムを識別させるためのプログラム識別情報とを、前記通信手段を用いて、通信可能範囲にある接続を確立する前の他の情報処理装置に送信する送信手段と、
通信可能範囲にある他の情報処理装置から前記自機識別情報および前記プログラム識別情報を、当該情報処理装置と接続を確立する前に受信する受信手段と、
前記受信手段によって受信された情報と、自機で実行するプログラムを識別させるためのプログラム識別情報とに基づいて、前記受信手段によって受信された情報を送信した複数の情報処理装置の中から少なくとも何れか１の情報処理装置を抽出する抽出手段と、
前記抽出手段によって抽出された情報処理装置のそれぞれを識別するための表示を行う表示制御手段と、
ユーザからの入力に基づいて前記表示制御手段によって表示された情報処理装置のうちの何れかを選択する選択手段と、
前記選択手段により選択された情報処理装置と接続を確立するための接続処理を行う接続手段と、して機能させる、情報処理プログラム。
【請求項９】
通信手段を用いて互いに無線通信することが可能な複数の携帯型の情報処理装置を含む情報処理システムにおいて行われる情報処理方法であって、
前記情報処理システムのうちの複数の第１情報処理装置は、
自機を識別させるための自機識別情報と自機で実行するプログラムを識別させるためのプログラム識別情報とを、前記通信手段を用いて、通信可能範囲にある接続を確立する前の他の情報処理装置に送信するステップを実行し、
前記情報処理システムのうちの第２情報処理装置は、
通信可能範囲にある前記複数の第１情報処理装置から前記自機識別情報および前記プログラム識別情報を、当該情報処理装置と接続を確立する前に受信する受信ステップと、
前記受信ステップにおいて受信された情報と、自機で実行するプログラムを識別させるためのプログラム識別情報とに基づいて、前記受信ステップにおいて受信された情報を送信した複数の前記第１情報処理装置の中から少なくとも何れか１の情報処理装置を抽出する抽出ステップと、
前記抽出ステップにおいて抽出された第１情報処理装置のそれぞれを識別するための表示を行う表示制御ステップと、
ユーザからの入力に基づいて前記表示制御ステップにおいて表示された第１情報処理装置のうちの何れかを選択する選択ステップと、
前記選択ステップにおいて選択された第１情報処理装置と接続を確立するための接続処理を行う接続ステップと、を実行する、情報処理方法。
【請求項１０】
通信手段を用いて互いに無線通信することが可能な複数の携帯型の情報処理装置を含む情報処理システムであって、
前記情報処理システムのうちの複数の第１情報処理装置は、
自機を識別させるための自機識別情報と自機のコンピュータが読み取り可能な記憶媒体に記憶されたプログラムを識別させるためのプログラム識別情報とを、前記通信手段を用いて、通信可能範囲にある接続を確立する前の他の情報処理装置に送信し、
前記情報処理システムのうちの第２情報処理装置は、
通信可能範囲にある前記複数の第１情報処理装置から前記自機識別情報および前記プログラム識別情報を、当該情報処理装置と接続を確立する前に受信する受信手段と、
前記受信手段によって受信された情報と、自機のコンピュータが読み取り可能な記憶媒体に記憶されたプログラムを識別させるためのプログラム識別情報とに基づいて、前記受信手段によって受信された情報を送信した複数の前記第１情報処理装置の中から少なくとも何れか１の情報処理装置を抽出する抽出手段と、
前記抽出手段によって抽出された第１情報処理装置のそれぞれを識別するための表示を行う表示制御手段と、
ユーザからの入力に基づいて前記表示制御手段によって表示された第１情報処理装置のうちの何れかを選択する選択手段と、
前記選択手段により選択された第１情報処理装置と接続を確立するための接続処理を行う接続手段と、を含む、情報処理システム。